(57)【要約】【課題】  めっきを施す部分を工夫して、錫めっき等の削れを抑制できるプレスフィット端子を提供する。【解決手段】  基板２の導電性スルーホール２ａに圧入状態で挿入されるプレスフィット端子１であって、プレスフィット端子１の内、挿入完了時にスルーホール２ａに接触して接点となる端子部分Ｄには、接続信頼性の高い錫めっき３等が施されるとともに、挿入途中時にスルーホール２ａに接触する端子部分Ｃには、錫めっき３等よりも削れにくいニッケルめっき４等が施されている。【選択図】  図１
2005251659.tif 000002
【特許請求の範囲】
【請求項１】
基板の導電性スルーホールに圧入状態で挿入されるプレスフィット端子であって、
上記プレスフィット端子の内、挿入完了時にスルーホールに接触して接点となる端子部分には、接続信頼性の高い第１めっきが施されるとともに、挿入途中時にスルーホールに接触する端子部分には、第１めっきよりも削れにくい第２めっきが施されていることを特徴とするプレスフィット端子。
【請求項２】
第１めっきは、錫めっき若しくは金メッキであり、第２めっきは、ニッケルめっき若しくはクロムめっきであることを特徴とする請求項１記載のプレスフィット端子。
【請求項３】
上記プレスフィット端子全体に第２めっきが施され、この第２めっきの上の必要部分に第１めっきが施されていることを特徴とする請求項１または２記載のプレスフィット端子。
【発明の詳細な説明】
【技術分野】
【０００１】
本発明は、錫めっき等の削れを抑制できるプレスフィット端子に関する。
【背景技術】
【０００２】
従来、プレスフィット端子において、挿入時のスルーホールめっきの剥がれ（削れ）を防止するために、端子の形状を工夫したものがある（例えば、特許文献１参照）。
【０００３】
また、プレスフィット端子以外の端子において、挿入力を低減するために、錫めっきを施したものがある（例えば、特許文献２参照）。
【特許文献１】特開２００１−１４８２６１号公報
【特許文献２】特開２０００−６７９４３号公報
【発明の開示】
【発明が解決しようとする課題】
【０００４】
ところで、プレスフィット端子に錫めっき等を施した場合、基板の導電性スルーホールとの間の接続信頼性に優れるが、スルーホールに挿入する時に錫めっき等が削れて、その削れカスが周囲の回路等に悪影響を与えることがある。
【０００５】
そこで、錫めっき等に代えて、錫めっき等よりも硬いニッケルめっき等を施すことが考えられるが、接続信頼性の点で錫めっき等に劣るという問題がある。
【０００６】
本発明は、上記問題を解消するためになされたもので、めっきを施す部分を工夫して、錫めっき等の削れを抑制できるプレスフィット端子を提供することを課題とするものである。
【課題を解決するための手段】
【０００７】
上記課題を解決するために、本発明は、基板の導電性スルーホールに圧入状態で挿入されるプレスフィット端子であって、
上記プレスフィット端子の内、挿入完了時にスルーホールに接触して接点となる端子部分には、接続信頼性の高い第１めっきが施されるとともに、挿入途中時にスルーホールに接触する端子部分には、第１めっきよりも削れにくい第２めっきが施されていることを特徴とするものである。
【０００８】
請求項２は、請求項１記載のプレスフィット端子であって、第１めっきは、錫めっき若しくは金メッキであり、第２めっきは、ニッケルめっき若しくはクロムめっきであることを特徴とするものである。
【０００９】
請求項３は、請求項１または２記載のプレスフィット端子であって、上記プレスフィット端子全体に第２めっきが施され、この第２めっきの上の必要部分に第１めっきが施されていることを特徴とするものである。
【発明の効果】
【００１０】
本発明によれば、プレスフィット端子のめっきを施す部分を分けて、挿入完了時にスルーホールに接触して接点となる端子部分に接続信頼性の高い第１めっきを施し、挿入途中時にスルーホールに接触する端子部分に第１めっきよりも削れにくい第２めっきを施すことにより、挿入途中時における第１めっきと第２めっきの双方の削れが抑制されるとともに、挿入完了時の接続信頼性も高まるようになる。
【００１１】
請求項２のように、電気的接続に関与する第１めっきを錫めっき若しくは金メッキとすれば、接続信頼性がより高まるとともに、電気的接続に関与しない第２めっきをニッケルめっき若しくはクロムめっきとすれば、硬くて密着性が良いために、挿入途中時の削れがより抑制されるようになる。
【００１２】
請求項３のように、プレスフィット端子全体に第２めっきを施こし、この第２めっきの上の必要部分に第１めっきを施すと、第２めっきと第１めっきとの境界での切れ目が無くなるので、プレスフィット端子の母材の露出を防ぐことができる。
【発明を実施するための最良の形態】
【００１３】
以下、本発明を実施するための最良の形態について、図面を参照しながら詳細に説明する。
【００１４】
図１に示すように、プレスフィット端子１には、端子基部１ａと基板挿入部分１ｂとが設けられて、基板挿入部分１ｂには、抜き穴状のスリット部１ｃが形成されている。なお、後述するめっきは、図１に例示した形状のプレスフィット端子１に限られるものではなく、種々の形状のプレスフィット端子に適用することが可能である。
【００１５】
上記プレスフィット端子１の端子基部１ａの外側位置に治具押圧用の肩部１ｄがそれぞれ形成されて、図２（ｂ）〜（ｃ）のように、両肩部１ｄを治具で同時に押圧することにより（矢印ａ参照）、基板挿入部分１ｂを幅方向Ｗに撓ませながら基板２の導電性スルーホール２ａに圧入状態で挿入するようになっている。
【００１６】
上記基板２のスルーホール２ａには、具体的に図示しないが、銅（Ｃｕ）めっきが施されている。
【００１７】
上記プレスフィット端子１の基板挿入部１ｂの全部に錫めっきを施すと、基板２のスルーホール２ａとの間の接続信頼性に優れるが、スルーホール２ａに挿入する時に錫めっきが削れることがある。また、錫めっきに代えて、錫めっきよりも硬いニッケルめっきを施すと、削れは抑制されるが、接続信頼性の点で錫めっき等に劣る。
【００１８】
ところで、図３に、プレスフィット端子１の挿入力（Ｎ）と挿入量（ｍｍ）との関係を示すように、挿入初期時の点Ａで挿入力が最大となり、挿入完了時の点Ｂでおよびその付近では、それほど大きな力を受けていないことが分かる。
【００１９】
そこで、図１にクロスハッチングで分けて示すように、プレスフィット端子１の内、挿入完了時にスルーホール２ａに接触して接点となる端子部分Ｄには、接続信頼性の高い錫めっき３（クロスハッチング参照）を施すとともに、挿入途中時にスルーホール２ａに接触する端子部分Ｃには、第１めっき３よりも削れにくいニッケルめっき４（クロスハッチング参照）を施している。
【００２０】
このように、プレスフィット端子１の錫めっき３を施す端子部分Ｄとニッケルめっき４を施す端子部分Ｃとを分けることにより、挿入途中時には、錫めっき３とニッケルめっき４の双方のめっき削れが抑制されるとともに、挿入完了時には、錫めっき３がスルーホール２ａに接触するので、接続信頼性も高まるようになる。
【００２１】
なお、錫めっき３を施す端子部分Ｄ以外の基板挿入部１ｂと端子基部１ａとの部分Ｅは、錫めっき３とニッケルめっき４のいずれでも良く（クロスハッチング参照）、これ以外のめっきであっても良い。
【００２２】
上記錫めっき３を施す端子部分Ｄとニッケルめっき４を施す端子部分Ｃとの境界を決める方法としては、プレスで打ち抜き加工した後、めっき処理する前のプレスフィット端子１を基板２のスルーホール２ａに挿入し、図３のような挿入力／挿入量の曲線を実測して、これから端子部分Ｃ，Ｄを特定することができる。
【００２３】
また、別の方法としては、プレスフィット端子１の挿入後の基板２のスルーホール２ａとプレスフィット端子１の接触部分とを断面カット等で確認して、これから端子部分Ｃ，Ｄを特定することができる。
【００２４】
これらの方法としたのは、プレスフィット端子１の基板挿入部１ｂの最も幅が広い部分が端子部分Ｄとなるとは限らないことからである。
【００２５】
さらに、プレスフィット端子１に錫めっき３とニッケルめっき４とを施すに際しては、先ず、プレスフィット端子１の全体にニッケル下地めっき４を施し、次いで、必要な端子部分Ｄのみに錫めっき３を施すようにする。このめっき方法であると、ニッケルめっき４と錫めっき３との境界での切れ目が無くなるので、プレスフィット端子１の母材の露出を防ぐことができる。
【００２６】
上記端子部分Ｄは、錫めっき並の電気的接続信頼性を保持できれば、錫めっき３に限られず、例えば金メッキであっても良い。このように、電気的接続に関与する端子部分Ｄのめっきを錫めっき３若しくは金メッキとすれば、接続信頼性がより高まるようになる。なお、これ以外の種類のめっきであっても良いことは言うまでもない。
【００２７】
上記端子部分Ｃは、電気的接続に関与しないために、削れない硬く密着性の良いめっきであれば、ニッケルめっき４に限られず、例えばクロムめっきであっても良い。このように、電気的接続に関与しない端子部分Ｃのめっきをニッケルめっき４若しくはクロムめっきとすれば、硬くて密着性が良いために、挿入途中時の削れがより抑制されるようになる。なお、これ以外の種類のめっきであっても良いことは言うまでもない。
【図面の簡単な説明】
【００２８】
【図１】プレスフィット端子の正面図である。
【図２】（ａ）〜（ｄ）は、プレスフィット端子の挿入過程を示す正面図である。
【図３】プレスフィット端子の挿入力と挿入量との関係を示すグラフである。
【符号の説明】
【００２９】
１    プレスフィット端子
１ｂ  基板挿入部分
２    基板
２ａ  スルーホール
３    錫めっき
４    ニッケルめっき
Ｃ    ニッケルめっきを施す端子部分
Ｄ    錫めっきを施す端子部分
【図１】
2005251659.tif 000003
【図２】
2005251659.tif 000004
【図３】
2005251659.tif 000005